Podtech/llm-jp-corpus-v4-ja_patent huggingface dataset:
(57)【要約】      （修正有）【課題】スカーフやネクタイの掛け外しがしやすく、選びやすいスカーフ及びネクタイ用ハンガーを提供する。【解決手段】太めの一本の針金で上部にフック３を設け、下部水平部分に連続した複数の凹部２を設け、凹部に、スカーフやネクタイを掛けて使用する。【選択図】図１
0003179274.tif 000002
【実用新案登録請求の範囲】
【請求項１】
太めの一本の針金で上部にフックを設け、下部水平部分に連続した複数の凹部（１）を設けたスカーフおよびネクタイ用ハンガー。
【請求項２】
太目の針金に変えて、ビニールでコーティングされた針金または合成樹脂にすることが出来る請求項１に記載されたスカーフおよびネクタイ用ハンガー。
【考案の詳細な説明】
【技術分野】
【０００１】
本考案は、スカーフおよびネクタイの掛け付け、取り外しが簡単で、スムーズな選択を可能にしたハンガーに関するものである。
【背景技術】
【０００２】
従来の一般的なハンガーは、スカーフやネクタイの収納についてはあまり考慮されておらず、スカーフやネクタイ用として販売されているハンガーも、縦方向に段階的に重ねて収納するものが多く、掛け外し、着用時の選択といった重要な部分に難点がある。
【先行技術文献】
【特許文献】
【０００３】
【特許文献１】特開２００７−１８５４５８
【特許文献２】特開２０１０−１７８８３６
【特許文献３】特開２０００−００５０３３
【特許文献４】実開平０５−０９３３４７
【特許文献５】実開平０５−０１５８８２
【特許文献６】実登３１７７１７７
【考案の概要】
【考案が解決しようとする課題】
【０００４】
一般的なハンガーは、水平下部にスカーフやネクタイをかけると、一方に片寄ったり、ずり落ちたりしやすい。
現在、市場に多く見られる縦方向に段階的に収納するものは、上下のスカーフが重なり合う部分が多く、掛け付け取り外しが簡単でなく、個々のスカ―フの色や柄といった全体像もつかみ難く、着用時のスムーズで適宜な選択を難しくしている。
本考案はこれらの欠点を解決するためになされたものである。
【課題を解決するための手段】
【０００５】
太めの一本の針金で上部にフックを設け、下部水平部分に連続した複数の凹部（１）を設けたハンガーを考案した。そのハンガーの凹部に、大きさや、形により二つ折〜四つ折り等にしたスカーフやネクタイを掛けて使用する。 凹部の深さ、幅は、スカーフやネクタイの掛け外しがしやすく、ずり落ちず、かつ、スカ―フやネクタイの全体像（色、柄の特徴・個性）が類推できるサイズにすることが重要。
【考案の効果】
【０００６】
・スカーフを太目の針金の凹部に、掛ける、外す、だけなので大変簡単で使いやすい。 
・凹部の深さ、幅でずり落ちを防止出来る。 
・ハンガーに収納されている個々のスカーフの色、柄等が一目瞭然で、着用したいスカ―フやネクタイの選択が短時間で出来る。 
・スカーフやネクタイだけでなく、ベルト等にも利用でき、汎用性がある。 
・一本の太目の針金でできているシンプルなものなので、コストが安い。
【図面の簡単な説明】
【０００７】
【図１】本考案のスカーフおよびネクタイ用ハンガーの全体図
【図２】本考案のハンガーの利用図
【考案を実施するための形態】
【０００８】
図１に示すように、太めの一本の針金で上部にフックを設け、下部水平部分に連続した複数の凹部（１）を設けたハンガーを作成した。そのハンガーの凹部に、大きさや、形により二つ折〜四つ折り等にしたスカーフやネクタイを掛けて使用する。 凹部の深さ、幅は、スカーフやネクタイの掛け外しがしやすく、ずり落ちず、かつ、スカ―フやネクタイの全体像（色、柄の特徴・個性）が類推できるサイズ、間隔にすることが重要である。
【符号の説明】
【０００９】
１  本考案の本体
２  凹部
３  フック
【図１】
0003179274.tif 000003
【図２】
0003179274.tif 000004
(57)【要約】      （修正有）【課題】可愛く豪華でありながら安価なぬいぐるみ束を提供する。【解決手段】色々なぬいぐるみ一つ一つに竹ひごを刺し、それを一輪の花にみたてて一つに束ね、ラッピングして、ブーケや花束のように見せる。【選択図】図１
0003179228.tif 000002
【実用新案登録請求の範囲】
【考案の詳細な説明】
【技術分野】
【０００１】この考案はすべてのブーケ・花束にかわいい動物のぬいぐるみを花の代わりに束にしてみたものです
【考案の概要】
【０００２】誕生日や発表会やいろいろなお祝い事やお悔みの席などでも花が主流で大きく豪華になると高価になるので一応ぬいぐるみの数は１１体以上として数はその価格や飾るものアクセサリーを変化させてレースを使ったりリボンを変えたりして見た目は豪華ですが安価にできるように考えました
【０００３】花束の大きさによってぬいぐるみを支える竹の棒を長くしたり短くしたり変化をつけました
【０００４】長時間保存を可能にすることで思い出やインテリアにもいいブーケ・花束にしました
【０００５】ぬいぐるみの頭にリボンをつけたり回りを花で飾ったりしてリボンで花束のイメージを高めるようにしました
【考案を実施する為の形態】
【０００６】ぬいぐるみにほこりがつかないようにするために結婚式の花嫁さんのブーケを入れるケースおさめて飾る
【実施例・利用可能性】
【０００７】この花束の特徴はぬいぐるみを各花にみたてる為竹串や針金を使ってぬいぐるみを固定して花束の形にすることにあります
ぬいぐるみは動物の形であればどんな色も可能です
【図１】
0003179228.tif 000003
【手続補正書】
【提出日】平成24年2月9日(2012.2.9)
【手続補正１】
【補正対象書類名】実用新案登録請求の範囲
【補正対象項目名】全文
【補正方法】変更
【補正の内容】
【実用新案登録請求の範囲】
【請求項１】
色々なぬいぐるみ一つ一つに竹ひごを刺しそれを一輪の花にみたて
いくつかを一つに束ねラッピングしてブーケ及び花束のように見せることを
特徴とする
【手続補正２】
【補正対象書類名】明細書
【補正対象項目名】全文
【補正方法】変更
【補正の内容】
【考案の詳細な説明】
0003179228.tif 000004
【技術分野】
【０００１】本考案はさまざまなぬいぐるみに竹ひごを刺し花にみたて束にしたもの
ブーケ、花束等、ぬいぐるみをラッピングしたものである
【考案の概要】
【考案が解決しようとする課題】
【０００２】誕生日・発表会など色々なお祝い事やお悔みの席などでは生花が主流であるが大きく豪華になると高価になってしまうので
高価な花の代わりにぬいぐるみを使うことで
見かけは可愛く豪華だが価格をおさえることをしようとするものである
【課題を解決するための手段】
【０００３】ぬいぐるみの数によって価格はさまざまだが一体あたりの価格を固定しかつ低価格で抑えることにより見かけは豪華でも安価で提供できる
【考案の効果】
【０００４】生花ではなくぬいぐるみを使うことにより長期間同じ形のまま保管できぬいぐるみの色・形・飾りつけみよりさまざまなニーズに対応できる【０００５】透明のケースに入れて保管すれば置物としても使うことができる
【考案を実施するための形態】
【０００６】ぬいぐるみにほこりがつかないようにするために
結婚式の花嫁さんのブーケを入れるケースに収めて飾る
【実施例】
【０００７】このものの特徴はぬいぐるみを各花にみたてるために竹ひごや針金を使ってぬいぐるみを固定して花束の形にすることにあります  図１参照
ぬいぐるみは動物の形であればどんな色でも可能です。
【図面の簡単な説明】
【０００８】
【図１】ぬいぐるみの数は決まっていない大きい束にしたい時は数を増やす
0003179228.tif 000005
【図面の簡単な説明】
【０００９】
【図２】ぬいぐるみを固定するために竹ひごや棒を突刺す
0003179228.tif 000006
【図面の簡単な説明】
【００１０】
【図３】棒で固定させたぬいぐるみをまとめる、下をひもでとめる
0003179228.tif 000007
【手続補正書】
【提出日】平成24年6月21日(2012.6.21)
【手続補正１】
【補正対象書類名】実用新案登録請求の範囲
【補正対象項目名】全文
【補正方法】変更
【補正の内容】
【実用新案登録請求の範囲】
【請求項１】
色々なぬいぐるみ一つ一つに竹ひごを刺し、それを一輪の花にみたていくつかを一つに束ね、ラッピングしてブーケ及び花束のように見せることを特徴とするぬいぐるみ束。
【手続補正３】
【補正対象書類名】明細書
【補正対象項目名】０００７
【補正方法】変更
【補正の内容】
【０００７】
このものの特徴は、ぬいぐるみを各花にみたてるために竹ひごや針金を使って、ぬいぐるみを固定して花束の形にすることにあります。図１参照ぬいぐるみは動物の形であればどんな色でも可能です。
【手続補正書】
【提出日】平成24年9月18日(2012.9.18)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】
本考案はさまざまなぬいぐるみに竹ひごを刺し花にみたて束にしたものブーケ、花束等、ぬいぐるみをラッピングしたものである
【考案の概要】
【考案が解決しようとする課題】
【０００２】
誕生日・発表会など色々なお祝い事やお悔やみの席などでは生花が主流であるが大きく豪華になると高価になってしまうので高価な花の代わりにぬいぐるみを使うことで見かけは可愛く豪華だが価格をおさえることをしようとするものである
【課題を解決するための手段】
【０００３】
ぬいぐるみの数によって価格はさまざまだが一体あたりの価格を固定しかつ低価格で抑えることにより見かけは豪華でも安価で提供できる
【考案の効果】
【０００４】
生花ではなくぬいぐるみを使うことにより長期間同じ形のまま保管できぬいぐるみの色、形、飾りつけみよりさまざまなニーズに対応できる
【０００５】
透明のケースに入れて保管すれば置物としても使うことができる
【考案を実施するための形態】
【０００６】
ぬいぐるみにはほこりがつかないようにするために結婚式の花嫁さんのブーケを入れるケースに収めて飾る
【実施例】
【０００７】
このものの特徴は、ぬいぐるみを各花にみたてるために竹ひごや針金を使って、ぬいぐるみを固定して花束の形にすることにあります。図１参照ぬいぐるみは動物の形であればどんな色でも可能です。
【図面の簡単な説明】
【０００８】
【図１】ぬいぐるみの数は決まっていない大きい束にしたい時は数を増やす
【図２】ぬいぐるみを固定するために竹ひごや棒を突刺す
【図３】棒で固定させたぬいぐるみをまとめる、下をひもでとめる
【手続補正２】
【補正対象書類名】手続補正書
【補正対象項目名】手続補正４
【補正方法】追加
【補正の内容】
【手続補正４】
【補正対象書類名】図面
【補正対象項目名】全図
【補正方法】変更
【補正の内容】
【図１】
0003179228.tif 000008
【図２】
0003179228.tif 000009
【図３】
0003179228.tif 000010
(57)【要約】      （修正有）【課題】ドットコード対応の音声ペンの使用がドットコードの印刷されていない書籍に対しても可能になった、ドットコードを利用した音声呼び出し表が設けられたシートを提供する。【解決手段】音声呼び出し表は、上部に書籍選択部を有し、中央部にトラック番号選択部を有し、下部にフレーズ選択部を有し、前記音声呼び出し表を音声ペンで触れることにより、対応した音声が前記音声ペンから発声される。【選択図】図１
0003179231.tif 000002
【実用新案登録請求の範囲】
【請求項１】
ドットコードを利用した音声呼び出し表であって、各番号には番号に対応したドットコードが印刷されているものについて。
【考案の詳細な説明】
【技術分野】
【０００１】本考案は、音声ファイルの呼び出しをするためのドットコードを利用した音声呼び出し表に関するものである。
【背景技術】
【０００２】従来のドットコードを利用した音声ペンとドットコード印刷の印刷物は予め印刷物にドットコードを印刷しておきそのドットコードと音声ペンの中にある音声ファイルを紐付けしておき、印刷物上の、任意のドットコードを読むとそれに紐付けされた音声がペンより発声されるというものである。【０００３】しかしこの方法では印刷物には予めドットコードが印刷されてなければならず、音声ペンに対応する印刷物、多くは書籍、その数はかぎられたものになる。
【先行技術文献】
【特許文献】
【０００４】
【特許文献１】特開２００３−００４６４５号公報
【特許文献２】特開２００５−０３８２５２号公開
【考案の概要】
【考案が解決しようとする課題】
【０００５】  解決しようとする問題点は、予めドットコードが印刷されていない書籍でも音声ペンが使えるようにすることである。
【課題を解決するための手段】
【０００６】ドットコードを利用した音声呼び出し表を使うことによりドットコードの印刷されていない書籍であっても音声ペンの使用が可能になった。
【考案の効果】
【０００７】ドットコードの印刷されていない書籍に対しても音声呼び出し表によって音声ペンが使えるようになり、音声ペンの使用範囲が格段に広がった。
【図面の簡単な説明】
【０００８】
【図１】図１はドットコードを利用した音声呼び出し表である。各番号には番号に対応したドットコードが印刷されている。
【図２】図２は一般に販売されている音声ＣＤ付、日本語語学教材で文章に対応した音声ファイルがＣＤに入っている。同本にはＣＤトラック番号に相当する部分の表示が本文中に入っている。フレーズ番号も本文中に印刷されている。
【図３】図３はドットコード対応音声ペン
【実施例】
【０００９】図３の音声ペンには図２の教材に付属する音声ファイルが図１のドットコードを利用した音声呼び出し表のトラック番号、フレーズ番号に対応するように変換されて入っている。【００１０】図２の日本語語学教材でまずどのトラック番号、どのフレーズ番号の音声を聞きたいのかを決める。
次に図１の音声呼び出し表で  書籍を選択する、次にトラック番号を選択する最後にフレーズ番号を選択する。例）第２番の書籍を選択  図１の書籍２番を音声Ｐｅｎで触れる、第８４番トラックを選択  図１の８４番を図３の音声ペンで触れる、
フレーズ２番を聞きたいので  図１のフレーズ選択２番を音声Ｐｅｎで触れる。
そこで音声Ｐｅｎからフレーズ２番の音声が流れる。【００１１】図３の音声ペンからは日本語語学教材でトラック８４番のフレーズ２番に対応した音声が発声される。
0003179231.tif 000003
【手続補正書】
【提出日】平成24年8月9日(2012.8.9)
【手続補正１】
【補正対象書類名】実用新案登録請求の範囲
【補正対象項目名】全文
【補正方法】変更
【補正の内容】
【実用新案登録請求の範囲】
【請求項１】
ドットコードを利用した音声呼び出し表が設けられたシートであって、前記音声呼び出し表は、上部に書籍選択部を有し、中央部にトラック番号選択部を有し、下部にフレーズ選択部を有し、前記音声呼び出し表を音声ペンで触れることにより、対応した音声が前記音声ペンから発声されることを特徴とするシート。
【手続補正３】
【補正対象書類名】図面
【補正対象項目名】全図
【補正方法】変更
【補正の内容】
【図１】
0003179231.tif 000004
【図２】
0003179231.tif 000005
【図３】
0003179231.tif 000006
(57)【要約】      （修正有）【課題】悪戯と鋭利な刃物等の衝撃からコンドームを保護できるように形成した封付プラスチック容器入り、コンドームを提供する。【解決手段】コンドームを封入する容器をプラスチック製にすることにより、悪戯と外部からの鋭利な刃物等の衝撃から保護出来る様にした。本体１の封部分２を切り取らない限り蓋の開閉が出来ない。封を開封した場合目視で確認できる様にした。【選択図】図２
0003179102.tif 000002
【実用新案登録請求の範囲】
【請求項１】
コンドームを収納するプラスチック製容器に封を設ける事により、開封を目視で確認できるとともに、悪戯と外部の鋭利な刃物等の衝撃から収納したコンドームを保護し、安全に保管できることを特徴とする封付プラスチック製容器入りコンドームである。
【考案の詳細な説明】
【技術分野】
【０００１】本考案は、封を設けたプラスチック製容器にコンドームを収納することにより、悪戯と鋭利な刃物等の衝撃から、コンドームを保護できるようにしたものである。
【背景技術】
【０００２】従来は、コンドームを収納する容器で封の設けたプラスチック製容器に収納されたコンドームはなかった。
【考案の概要】
【考案が解決しようとする課題】
【０００３】紙製の容器では、悪戯と外部からの鋭利な刃物等の衝撃から収納したコンドームを保護出来ないという問題点があった。
【課題を解決するための手段】
【０００４】容器をプラスチック製にすることにより、悪戯と外部からの鋭利な刃物等の衝撃から保護出来る様にした。本体１の封部分２を切り取らない限り蓋の開閉が出来ない。封を開封した場合目視で確認できる様にした。
【考案の効果】
【０００５】封を設けたプラスチック製の容器に収納する事により、外部からの悪戯と鋭利な刃物等の衝撃から、収納したコンドームを保護出来る。
よって安全にコンドームを保管することが出来る。
【図面の簡単な説明】
【０００６】
【図１】封をされた容器の本体部分を示した図である。
【図２】開封状態を示す図である。
【符号の説明】
【０００７】１  容器本体
２  封
３  蓋
４  コンドーム
【図１】
0003179102.tif 000003
【図２】
0003179102.tif 000004
(57)【要約】      （修正有）【課題】パニエのフリルに樹脂綿を用い、更に振れ止めの下部をカットさせることによって、より爽やかで高級感を引き出し、優雅に歩けるパニエを提供する。【解決手段】パニエベース１に、振れ止め５を装着し、振れ止めの裾に切込部６を設ける。パニエのフリルには樹脂綿を用いる。また、切込部６の寸歩は、振れ止めの裾を踏まない略１５ｃｍ以上で脚の関節部近傍（略６５ｃｍ）以下であればよい。  しかし、この切込み部の寸歩は花嫁の身長や歩幅に左右されるので特定することは出来ない。花嫁がドレスやパニエの裾を気にせず心地よくしかも優雅に歩ける部位であればよい。【選択図】図１
0003179101.tif 000002
【実用新案登録請求の範囲】
【請求項１】
振れ止めを設けたパニエにおいて、振れ止めの下方に切込み部を設けたことを特徴とした、高級感のあるウェディングドレスに見せるパニエ。
【請求項２】
振れ止めを設けたパニエにおいて、フリル部に樹脂綿を用いたことを特徴とした、高級感のあるウェデイングドレスに見せるパニエ。
【請求項３】
振れ止めを設けたパニエにおいて、振れ止めの下部が切込部を設け、更に、パニエのフリル部に樹脂綿を用いたことを特徴とした、高級感のあるウエディングドレスに見せるパニエ。
【考案の詳細な説明】
【技術分野】
【０００１】この考案は、ウエディングドレスをより爽やかで高級に見せ、更に優雅に歩けるパニエに関するものである。
【背景技術】
【０００２】  結婚披露宴の花嫁が着るウエディングドレスには、本考案者が出願した特開平１０−７２７０１号記載のように、着る前に円錐形のパニエを腰に付けることによってスカート部分が大きくふんわりと豪華に見せ、更にパニエに振れ止めを付けることによってトレーンが下がらないように工夫されている。
【先行技術文献】
【特許文献】
【特許文献】特開平１０−７２７０１号
【考案が解決しようとする課題】
【０００３】  しかしながら、何ごとにも日進月歩する昨今においては、ウエデイグドレスでも、より爽やかで高級感があり、更により優雅な歩みができるパニエが要求されるようになった。
先ず、爽やかで高級感を引き出すには、オーロラのようなウエーブ状のシルエットを出し、歩く時には振れ止めの裾を踏むことなく歩け、更に、トレーン部の優雅さを一層引き出すことが要求されてきた。
【課題を解決するための手段】
【０００４】  本考案は、上記の要求を追求するために、鋭意研究と試作を重ねた結果、パニエのフリルに樹脂綿を用い、更に振れ止めの下部をカットさせることによって、従来の問題を解消し、より爽やかで高級感を引き出し、更に優雅に歩けるパニエを提供することに至った。
【考案の効果】
【０００５】  従来の綿菓子が膨らんだ様なシルエットのドレスが、本考案のようにフリルに樹脂綿を用いることによって、オーロラのようなウエーブ状のシルエットが出き、従来に無い爽やかでしかも重厚で高級感があるウエデイグドレスに見せるパニエになった。
このパニエをオーロラパニエと名付けた。
又、振れ止めの下部をカットさせることによって、ドレスやパニエの裾を踏むことなく気にせず優雅に歩けるようになった。
【図面の簡単な説明】
【０００６】
【図１】  本考案の第１実施例を示す斜視図である。
【図２】  本考案の第２実施例を示す斜視図である
【図３】  本考案の第３実施例を示す斜視図である
【考案を実施するための形態】
【実施例】
【０００９】  本考案の第１実施例を図１に基づいて詳述する。
パニエベース（１）に、振れ止め（５）を装着し、振れ止めの裾に切込部（６）を設けた。この切込部の寸歩は、振れ止めの裾を踏まない略１５ｃｍ以上で脚の関節部近傍（略６５ｃｍ）以下であればよい。  しかし、この切込み部の寸歩は花嫁の身長や歩幅に左右されるので特定することは出来ない。花嫁がドレスやパニエの裾を気にせず心地よくしかも優雅に歩ける部位であればよい。【００１０】  本考案の第２実施例を図２に基づき詳述する。
本実施例は、パニエ（１）のフリル部（２）に樹脂綿（４）を用いた。
従来はフリルにチュールを使用していたが、裾はワイヤー（３）から下が曲がる欠点があったが本考案では、樹脂綿を使用することによって、樹脂綿の弾力性によって裾が曲がり難くなった。更に、オーロラのようなウエーブ状のシルエットが裾まで出るのである。
このシルエットが出る理論付けは困難であるが、試行に試行を重ねた結果実現出来たもので、樹脂綿の弾力性の作用によるものと思える【００１１】  本考案の第３施例を図３に基づき詳述する。
本実施例は第１実施例と第２実施例とを組み合わせたもので、振れ止めの切込部（６）を関節部（６５ｃｍ）まで設けた。第１実施例より歩き易いのが特徴である。
【符号の説明】
【００１２】  １  パニエ
２  フリル部
３  ワイヤ
４  樹脂綿
５  振れ止め
６  振れ止めの切込み部
【図１】
0003179101.tif 000003
【図２】
0003179101.tif 000004
【図３】
0003179101.tif 000005
(57)【要約】      （修正有）【課題】正面だけでなく、上下左右からの光を遮光できる可動式サンバイザーを提供する。【解決手段】２本足を有する本体サンバイザーと、左用補助サンバイザーと、右用補助サンバイザーを有する。【選択図】図１
0003179105.tif 000002
【実用新案登録請求の範囲】
【請求項１】
車載用サンバイザーに取付け可能な２本足を有した本体サンバイザーと、車載用サンバイザーの左上部から入る光りを、遮光する可動出来る左用補助サンバイザーおよび、本体サンバイザーと、車載用サンバイザーの右上部から入る光りを遮光する可動出来る右用補助サンバイザーを、有することを特微とする可動式サンバイザー。
【考案の詳細な説明】
【技術分野】
【０００１】従来の車載用サンバイザーは、単体式の物が主である。
単体式であるがため、車体の向きに依っては、遮光できないことがある。
【背景技術】
【０００２】車体の向きに依っても、遮光出来る様にした可動式サンバイザーを提供するものである。
【先行技術文献】
【特許文献】
【考案の概要】
【考案が解決しようとする課題】
【０００３】従来の市販品のサンバイザーは、車載用サンバイザーの下部へ、本体のみのサンバイザーを取り付けて遮光しているものが多い。
その結果次の様な欠点がある。
１．本体のみのため本体上部左右からの光は、遮光出来ない。又、下部からの遮光も不充分である。
２．車載用サンバイザーに取り付ける時、市販品は、一本足で取付けるため、車載用サンバイザーの中央にある鏡が開かず使用出来ない。
３．鏡を使用出来る様に作成したサンバイザーもあるが、その取り付け方は、鏡の下部に落下しないように、強力に取付けるため、車載用サンバイザーの下部が変形する。
【課題を解決するための手段】
【０００４】車載用サンバイザーの上部から、左右２本の足を取り付け、その足の下部に考案のサンバイザー本体を取り付ける。左足には、ルームミラーと天井のすき間から入る光を遮光する可動式でワンタッチで可動出来る左用補助サンバイザーを取り付ける。【０００５】車載用サンバイザーの上部から、左右２本の足を取り付け、その下部に考案のサンバイザー本体を取り付ける。右足には、右ドアー上部から入る光を遮光する可動式でワンタッチで可動出来る右用補助サンバイザーを取り付ける。
【考案の効果】
【０００６】上記の課題を解決することに依り、次の様な効果がある。
１  左右の補助用サンバイザーを取り付けることに依り、車載用サンバイザーと本体サンバイザーの左上部、右上部からの光を遮光出来る。又、下部からの遮光も充分である。
２．可動式サンバイザーは、２本足であり、鏡の両端の外側に取り付けるため、車載用サンバイザーの中央に付いている鏡は使用出来る。
３．可動式サンバイザーは、簡単に取り付ける様に、左右２足の上部先端を逆Ｕ字形に曲げて、車載用サンバイザーの上部にその逆Ｕ字部を掛けて取り付けるため、車載用サンバイザーを痛めない。
【考案を実施するための形態】
【０００７】左右２本足の下部に本体サンバイザーを取り付けて、左足には、ルームミラーと天井の間から入る光を遮光する左足のどの位置でも取り付けることの出来る可動式補助サンバイザーを取り付ける。右足には、右ドアー上部から入る光を遮光する右足のどの位置でも取り付けることの出来る可動式補助サンバイザーを取り付ける。
【０００８】左右の足と、左右補助サンバイザーの可動方法は、色々あるが、図１は、マジックテープを使用した一例である。
【図面の簡単な説明】
【図１】車載用サンバイザーに、考案の可動式サンバイザーを、装着した正面図である。
【図２】左右の２本足を側面から見た図である。
【図３】左右の補助サンバイザーの正面から見た図である。
【図４】左右の補助サンバイザーの裏面から見た図である。
【符号の説明】１、サンバイザー本体
２、左用足
３、右用足
４、左用補助サンバイザー
５、右用補助サンバイザー
６、ヒンヂ
７、車載用サンバイザー
８、マジックテープ
９、車載用鏡
【図１】
0003179105.tif 000003
【図２】
0003179105.tif 000004
【図３】
0003179105.tif 000005
【図４】
0003179105.tif 000006
(57)【要約】      （修正有）【課題】着脱しやすいように袖に切れ目を入れファスナーを付け、その開閉により生じる隙間から腕の出し入れを行い、着脱を容易にするようにしたつなぎ式作業服を提供する。【解決手段】着脱時、１か所の開閉部分しかない事により、特に脱ぐときに困難を感じるつなぎ式作業服の肩部分首付け根付近から手首にかけての腕部分に切れ目１を入れ、その部分にファスナーを付ける。この構造とすることにより、体正面の１か所のみで行っていた開閉部分を２か所として、新たに設けた開閉部から、手、腕部分を出し入れできるようになり、着脱しやすくなる。【選択図】図２
0003179109.tif 000002
【実用新案登録請求の範囲】
【請求項１】
着脱を正面に設けた開閉部のみで行う、オーバーオールと呼ばれる上下一体の、つなぎ式作業服の肩部分から袖口部分まで切れ込みを入れ、その切れ込み部にファスナーを付けファスナーの開閉により生じる開口部分から腕の出し入れを行い、着脱しやすくする事を目的として考案した農工業作業従事用作業服の改良。
【考案の詳細な説明】
【技術分野】
【０００１】  本考案は、通常の衣服を着用した上に着る従来のオーバーオールの着脱が、衣服正面に付けられている開閉部１か所だけで行われているため、新たに腕部分にファスナーをつけ、着脱しやすくしたものである。
【背景技術】
【０００２】  首より下部の、腕、胴体、脚等の全身を覆うオーバーオール式の作業服は農作業、工場の作業等のみならず、多くの家庭でも屋内外の小作業の実施の際に作業者として着使用されている。【０００３】  オーバーオールは、頭部と両手足首以外の、ほぼ全身を覆っており、その着脱は、着衣正面、首又は顎下部位より下腹部若しくは、脚付け根、股部分まで付けられた１本のファスナーの開閉により行われている。しかし、衣服を着けた上に防塵、汚れ防止用として着用するため、下に着込んだ衣服の種類、個人の身体の柔軟性の違い、気象状況による身体、衣服の濡れ具合、湿り具合などにより、着脱の際に、肩、腕などが引っ掛かり、着難くまた脱ぎ難いこと等の難点がある。
【考案の概要】
【考案が解決しようとする課題】
【０００４】  オーバーオールの肩から手首付け根部分に、切れ目を入れその切れ目部分にファスナーを付けることで、その開閉できる隙間から手、腕を衣服外に出しやすくすることが可能となり、開閉部が２か所と成るので脱ぎやすく、着やすいように考案したものである。【０００５】  ファスナーは、上下両方の方向への開閉を可能とし、袖に縫いこんだファスナーは、従来製品同様、ファスナー接着部分の片方にカバーとしての余裕を持たせファスナーカバーとする。
【図面の簡単な説明】
【０００６】
【図１】は、新たにファスナーを点けようとするオーバーオールの上半品部分。
【図２】は新案により装着された後のオーバーオールの全体図である。
【符号の説明】
【０００７】  符号１は、今回新たに考案した切れ目とそこに着ける予定のファスナーの装着部分。符号２が、従来のファスナーの装着部分である。
【図１】
0003179109.tif 000003
【図２】
0003179109.tif 000004
(57)【要約】      （修正有）【課題】簡単にアンテナケーブルや電線を壁に通すことができるケーブル通し器を提供する。【解決手段】自在に曲がり、曲がった状態を保持する先端部を有する。【選択図】図５
0003179111.tif 000002
【実用新案登録請求の範囲】
【請求項１】
自在に曲がり、曲がった状態を保持する先端部を付けたケーブル通し器。
【考案の詳細な説明】
【技術分野】
【０００１】  本考案は、自在に曲がり、曲がった状態を保持する先端部を付けたケーブル通し器に関するものである。
【背景技術】
【０００２】  従来、自在に曲がり、曲がった状態を保持する先端部を付けたケーブル通し器はなかった。
【考案の開示】
【考案が解決しようとする課題】
【０００３】  従来は次のような欠点があった。
従来、壁に穴を開けて、アンテナケーブルや電線を壁に通すとき、入口の穴と出口の穴の位置が水平ではなく、大きく位置がずれて出口の穴が開いているとき、なかなかケーブルを通すことができなかった。
本考案は、上記の欠点を除くためになされたものである。
【課題を解決するための手段】
【０００４】  自在に曲がり、曲がった状態を保持する先端部をケーブル通し器に付ける。
本考案は、以上のような構成により問題点を解決している。
【考案の効果】
【０００５】  入口の穴と出口の穴の位置が水平ではなく、大きく位置がずれて出口の穴が開いているとき、曲がった状態を保持する先端部があるので、先端部を曲げて入口の穴から入れると容易に大きく位置がずれている出口の穴に先端部が出るので簡単にケーブルを通すことができる。
【考案を実施するための最良の形態】
【０００６】  自在に曲がり、曲がった状態を保持する先端部をケーブル通し器に付ける。
【実施例】
【０００７】  以下、本考案の実施例について説明する。
自在に曲がり、曲がった状態を保持する先端部１をケーブル通し器２に付ける。
自在に曲がり、曲がった状態を保持する先端部１は自在に曲がり、曲がった状態を保持するものである。
自在に曲がり、曲がった状態を保持する先端部１に先端カバー３と接続部４を設ける。
先端カバー３は先端をひっかかりにくくするためのものである。
接続部４は自在に曲がり、曲がった状態を保持する先端部１とケーブル通し器２を接続するためのものである。
自在に曲がり、曲がった状態を保持する先端部の種類、形状、材質、大きさをいろいろにすることにより、多種多様にすることができる。
【図面の簡単な説明】
【０００８】
【図１】本考案の側面図である。
【図２】本考案の拡大した側面図である。
【図３】本考案の拡大した先端部を曲げた側面図である。
【図４】従来のケーブル通し器の先端部が大きく位置がずれた出口の穴にひっかかっている壁の断面の側面図である。
【図５】本考案の壁の大きく位置がずれた出口の穴に先端部が出ている壁の断面の側面図である。図４、図５において各部の細部は省略している。
各図の各部において主要部以外は省略している。
各図の各部において波線以外の部分は省略している。
【符号の説明】
【０００９】  １    自在に曲がり、曲がった状態を保持する先端部
２    ケーブル通し器
３    先端カバー
４    接続部
５    入口の穴
６    大きく位置がずれている出口の穴
７    壁
８    壁
９    壁と壁の間
１０  アンテナケーブル
１１  従来のケーブル通し器
【図１】
0003179111.tif 000003
【図２】
0003179111.tif 000004
【図３】
0003179111.tif 000005
【図４】
0003179111.tif 000006
【図５】
0003179111.tif 000007
(57)【要約】      （修正有）【課題】銅製の薄板からなる短冊状のヒューズ素子の中央部の小穴に低融点金属を点着することで、ヒューズ容器の容量に見合った大電流定格容量を得ることができる小形ヒューズを提供する。【解決手段】ヒューズ素子１０は短冊状で、中央部に所定寸法の小穴を穿ち、この小穴からそれぞれの左右の端部までの等位置の各一か所に弧状を有するような金型によりプレスされ、かつ、表面を無電解ニッケルめっきされた銅製の薄板からなり、さらに、前記ヒューズ素子１０中央部に穿った所定寸法の小穴を低融点金属で点着するとともにこれを絶縁筒３０内に配置し、両端の金属端子４０にはんだ付け固定したことを特徴としている。【選択図】図２
0003179115.tif 000002
【実用新案登録請求の範囲】
【請求項１】
導電性の金属線材、又は板材で形成されたヒューズ素子を絶縁筒内に配置し、その両端を金属端子にはんだ付けで接合してなるヒューズにおいて、ヒューズ素子は短冊状で、中央部に所定寸法の小穴を穿ち、この小穴からそれぞれの左右の端部までの等位置の各一か所に弧状を有するような金型によりプレスされ、かつ、表面を無電解ニッケルめっきされた銅製の薄板からなり、さらに、前記ヒューズ素子中央部に穿った所定寸法の小穴を低融点金属で点着するとともにこれを絶縁筒内に配置し、両端の金属端子にはんだ付け固定したことを特徴とする大電流定格容量値を有する小形ヒューズ。
【考案の詳細な説明】
【技術分野】
【０００１】本考案は、電気回路の保護に使用される小形ヒューズの内、特に定格電流値の大きい容量のヒューズの改良に関する。
【背景技術】
【０００２】従来、この種の小形ヒューズの定格電流値の大きい容量というのは１０，１２，１５，２０，２５，３０アンペアのものを総称しているのであるが、構造としては、図３に示すように、ヒューズ素子１には同図（イ）の金属線の太い線径のものや同図（ロ）の比較的溶融点の低い板厚の金属板をリボン状にプレスしたものを絶縁筒２内に配置し、両端の金属端子３にはんだ４で接合したものが公知とされている。
【考案の概要】
【考案が解決しようとする課題】
【０００３】上記の小形ヒューズにはそれぞれ次のような問題を有していた。
（１）図３（イ）および（ロ）のものにおいては、定格電流値が大きくなるとそれに伴って金属線の線径が太くなることや板厚が厚くなることから、金属端子との接合面が少なくなりはんだ付けの作業性が極めて悪くなる。
（２）電気的性能からはヒューズ素子の断面積が増加することから短絡電流による遮断が難しくなる。また、金属端子のはんだ付け部分がヒューズ素子から発生するジュール熱の蓄積によりヒューズ素子の溶融より先に溶融してしまうという欠点がある。
（３）さらに、図３（ロ）のものでは、ヒューズ素子に溶融点の低い亜鉛板をプレスして用いられているが、この材料は経年的に酸化され易く、特に金属端子との接合面でのいわゆるイモ付け接合が生じる懸念がある。
【課題を解決するための手段】
【０００４】本考案は前述の欠点を解決するためになされたものである。
本考案においては、ヒューズ素子は短冊状で、中央部に所定寸法の小穴を穿ち、この小穴からそれぞれの左右の端部まての等位置の各一か所に弧状を有するような金型によりプレスされ、かつ、表面を無電解ニッケルめっきされた銅製の薄板からなり、さらに、前記ヒューズ素子中央部に穿った所定寸法の小穴を低融点金属で点着するとともにこれを絶縁筒内に配置し、両端の金属端子にはんだ固定した小形ヒューズを提供する。
【考案の効果】
【０００５】ヒューズ素子には良導体金属の銅板を使用することで亜鉛板の厚みの約１／２ないし１／３の薄板で各電流値に対応できる。【０００６】銅薄板は無電解ニッケルめっきで表面処理を施し均一な膜厚が得られることから、電気的性能は満足できる。
【図面の簡単な説明】
【０００７】
【図１】本考案品に用いるヒューズ素子の平面図及び側面図
【図２】本考案のヒューズの一部断面斜視図
【図３】従来品のヒューズの一部断面斜視図
【考案を実施するための形態】
【０００８】本考案のヒューズに用いられるヒューズ素子の中央部に穿った小穴と設定定格電流値及び低融点金属には次のような相関関係がある。
先ず、小穴の直径と定格電流容量の関係
0003179115.tif 000003
低融点金属に関しては、銅薄板の融点約１０８０℃，低融点金属の融点１５０℃で過電流で低融点金属がジュール熱で溶融することでこの部分の銅薄板内部に浸透しある種の共晶温度の合金を造りこれで銅自体の融点が低下させ、規定の時間内で溶断することができる。
【実施例】
【０００９】以下、添付図面にしたがって一実施例を説明する。１０はプレス加工した銅薄板の短冊状のヒューズ素子、２０は錫を主体とした低融点金属、３０は絶縁筒、４０はカップ状の金属端子、５０は接着剤、６０ははんだである。【００１０】図１は、本考案に用いるヒューズ素子の平面図及び側面図であるが、ヒューズ素子１０は、幅Ｗｍｍ，長さＬｍｍ，厚みｔｍｍの短冊状でその中央部に所定寸法ｄの小穴１０ａを穿ち、この小穴１０ａからそれぞれの左右の端部にいたる１／２の位置に弧状を形成する１０ｂ，１０ｃの切欠部をプレス加工してなる。このヒューズ素子は無電解ニッケルめっきで表面処理され、さらに中央部の小穴１０ａに低融点金属を点着させている。【００１１】図２は、本考案のヒューズの一部断面斜視図であるが、前図１のヒューズ素子１０を予めガラス又は磁器等の耐熱性絶縁材からなる絶縁筒３０とその両端にカップ状の金属端子４０を接着剤５０で一体化したものに、前記カップ状の金属端子４０の一方の端面穴４０ａから挿通させ、ヒューズ素子１０の中央部が絶縁筒３０の位置ではんだ６０により接合される。【００１２】本考案のヒューズにおいては、ヒューズ素子の銅自体の溶融点は約１０８０°Ｃ、これを覆っている無電解ニッケルめっきの溶融点が約８９０°Ｃ、さらに前記ヒューズ素子の中央部の小穴に点着された低融点金属の溶融点が１５０°Ｃで構成されており、電流の通過による溶断、不溶断をこれにより設定が可能となる。つまり、ヒューズ素子に流れる電流が許容範囲内ではこれら溶融点は殆ど溶断することはない。
しかし、ヒューズ素子に許容範囲以上の過大電流が流れた場合、つまり、過負荷状態においては、発生するジュール熱による低融点金属の溶融現象が無電解ニッケルめっきを介しての銅薄板の銅自体へ溶融波及し、ある種の合金を共晶して経時的に熱劣化を誘発させ、規定時間内に溶断させる。
また、短絡電流のような大電流の通過状態においては、ヒューズ素子の切欠部が瞬時に溶断して回路を遮断する。
したがって、本考案品では一個のヒューズ素子で二箇所の溶断パターンが有ることから、溶断品も目視でその断線原因等が容易にわかるので好都合となる。【００１３】本考案の一実施例は上述のように、ヒューズ素子に良導体金属の銅材で構成されることから従来の亜鉛材等の厚さの１／２〜１／３の板厚に置換できることから短絡遮断電流に対しても余裕をも足ることができる。
【符号の説明】
【００１４】  １０  ヒューズ素子
２０  低融点金属
３０  絶縁筒
４０  金属端子
５０  接着剤
６０  はんだ
【図１】
0003179115.tif 000004
【図２】
0003179115.tif 000005
【図３】
0003179115.tif 000006
(57)【要約】      （修正有）【課題】インフィニティミラーを採用したテールランプでは砲弾型ＬＥＤを用いられているが、横から見ると輝きが弱くなり視野角が狭くなるという問題点を解消したインフィニティミラーテールランプを提供する。。【解決手段】ハーフミラー１とミラー３との間にＬＥＤを搭載した環状フレーム２を配置し、前記ＬＥＤとして平面実装型ＬＥＤを用いることでインフィニティミラーテールランプを構成している。さらに前記ＬＥＤとして特に図示はしないが平面実装型ＬＥＤと砲弾型ＬＥＤを混同することでインフィニティミラーテールランプを構成している。【選択図】図１
0003179116.tif 000002
【実用新案登録請求の範囲】
【請求項１】
車両用灯具であって、ハーフミラーとミラーとの間に複数個のＬＥＤを搭載したフレームを配置して構成されるインフィニティミラーテールランプにおいて、前記複数個のＬＥＤとして平面実装型ＬＥＤを用いることを特徴とするインフィニティミラーテールランプ
【請求項２】
前記複数個のＬＥＤとして平面実装型ＬＥＤと砲弾型ＬＥＤを混在していることを特徴とする請求項１記載のインフィニティミラーテールランプ
【考案の詳細な説明】
【技術分野】
【０００１】  本考案は自動車の後部に設置され、夜間、またはブレーキペダルを踏んだ際に点灯するテールランプに関し、特に、インフィニティミラーを用いたテールランプに関する。
【技術背景】
【０００２】  近年、ＬＥＤにすることにより従来の電球バルブでは出来なかった薄型のテールランプを製作することが可能となった。また、テールランプには「無限鏡」「ＬＥＤブラックホール」「ＬＥＤホール」等様々な呼び名で知られているインフィニティミラーが採用されている。このインフィニティミラーの採用によって、光が奥まって見える立体感を示すことができる。
【０００３】  このようなインフィニティミラーを採用したテールランプに用いられている複数個のＬＥＤには砲弾型ＬＥＤが用いられている（非特許文献１参照）。この砲弾型ＬＥＤは反射カップで囲んでいるため集光しており、正面から見ると非常に輝いて見える効果がある（図４参照）。
【先行技術文献】
【非特許文献】
【０００４】
【非特許文献１】  車・自動車ＳＮＳみんカラ、“［ＶＷトゥアレグ］ＬＥＤテールランプ  ブラックホール仕様”、［ｏｎｌｉｎｅ］、［平成２４年７月２０日検索］、インターネット＜ＵＲＬ：ｈｔｔｐ：／／ｍｉｎｋａｒａ．ｃａｒｖｉｅｗ．ｃｏ．ｊｐ／ｕｓｅｒｉｄ／１５４２３９／ｂｌｏｇ／２４０２５３７３／＞
【考案の概要】
【考案が解決しようとする課題】
【０００５】  しかしながら、この砲弾型ＬＥＤは横から見ると輝きが弱くなってしまい、視野角が狭くなるという問題点が有る。この問題点を解消することがこの考案の課題である。
【課題を解決するための手段】
【０００６】  上記目的を達成するために、本考案は、前記複数個のＬＥＤとして平面実装型ＬＥＤを用いることを特徴とするインフィニティミラーテールランプを構成したものである。【０００７】  さらに前記複数個のＬＥＤとして平面実装型ＬＥＤと砲弾型ＬＥＤを混在していることを特徴とするインフィニティミラーテールランプを構成したものである。
【考案の効果】
【０００８】  以上の説明から明らかなように、本考案にあっては次に列挙する効果が得られる。
（１）平面実装型ＬＥＤを用いることによって、横から見ても輝きは弱くならず、視野角が広くなるため視認性が向上できる
（２）平面実装型ＬＥＤと砲弾型ＬＥＤを混在させることによって視野角、視認性を調整することができる。
【図面の簡単な説明】
【０００９】
【図１】本考案に係るインフィニティミラーテールランプの構成を示す分解斜視図
【図２】図１の分解斜視図の環状フレームの詳細図
【図３】平面実装型ＬＥＤの斜視図
【図４】砲弾型ＬＥＤの斜視図
【考案を実施するための形態】
【００１０】  以下、本考案の実施の形態を図に基づいて説明する。
【実施例】
【００１１】  図１は本考案に係るインフィニティミラーテールランプの構成を示す分解斜視図、図２は図１の分解斜視図の環状フレームの詳細斜視図、図３は平面実装型ＬＥＤの斜視図、図４は砲弾型ＬＥＤの斜視図である。【００１２】  図１において、１はハーフミラー、２はＬＥＤを搭載した環状フレーム、３はミラーである。このようにハーフミラー１とミラー３の間にＬＥＤを搭載した環状フレーム２を配置、組み立てることによって、ハーフミラー１とミラー３でＬＥＤの光を無限に反射させて奥行きを持たせることができる。【００１３】  図４は砲弾型ＬＥＤの斜視図であるが、図中の矢印で示すように光を収束させ前方に強い指向性を持たせている。なお、この集光には凸レンズ等が用いられている。一方、図３は平面実装型ＬＥＤの斜視図であるが、図中の矢印で示すように配光の指向性は広く、発光面の輝度は見る方向によらずほとんど一定である。【００１４】  次に、図２において４は環状フレーム、５は図３で示した平面実装型ＬＥＤである。以上説明したように平面実装型ＬＥＤ５を環状フレーム４に搭載し、ハーフミラー１とミラー３を挟むことによって視野角が広いインフィニティミラーテールランプを実現することができる。【００１５】  なお、本考案におけるインフィニティミラーテールランプはテールランプだけでなく、ＬＥＤに流す電流値を増やし輝度を上げることで、停止時ではストップランプとして機能することができる。【００１６】  また、従来の電球バルブに比べてＬＥＤは発熱が少ない特徴を持つが、放熱を要する場合には、特に図示はしないが、例えば、環状フレーム４に用いる金属に溝構造を形成して表面積を増大させることで放熱を向上させることもできる。【００１７】  さらに、用途、目的によってテールランプの視野角、視認性を調整する必要性がある場合には、特に図示はしないが、例えば、表面実装型ＬＥＤ５と砲弾型ＬＥＤ６を混在し、環状フレーム４に搭載することでテールランプの視野角、視認性を調整することもできる。
【符号の説明】
【００１８】１…ハーフミラー
２…ＬＥＤを搭載した環状フレーム
３…ミラー
４…環状フレーム
５…平面実装型ＬＥＤ
６…砲弾型ＬＥＤ
７，８…光線
【図１】
0003179116.tif 000003
【図２】
0003179116.tif 000004
【図３】
0003179116.tif 000005
【図４】
0003179116.tif 000006
(57)【要約】      （修正有）【課題】重い手荷物を運ぶ時、中綿を入れた布製の物を装着し、手や腕の痛みを軽減する物を提供する。【解決手段】角を落とし、外形が小判型に形成された、サイズが長手方向１１ｃｍＡと、幅８ｃｍＢの袋状のソフトデニム生地に、厚さ１ｃｍ程の中綿を入れる。生地の片方の面には指を差し入れる為、幅２ｃｍのソフトデニム生地で出来た輪３を設ける。輪３を設ける為に、長手方向の縁から１．５ｃｍ、幅Ｂの中央から長手方向の反対側の縁に向け、予め２ｃｍの切り込みを入れる。その切り込みに、両端を揃えて入れ込み、輪の縫い付け位置４に縫い付ける。小判型の袋状のソフトデニム生地には、横に３本、縦と斜めに２本、更に小判型の縁に沿ってミシンステッチを施していることを特徴とする。【選択図】図１
0003179121.tif 000002
【実用新案登録請求の範囲】
【請求項１】
角を落とした手の平に収まるサイズの袋状のソフトデニム生地（５）に、中綿（６）を入れ、片方の面に指を入れる輪（３）をソフトデニム生地の縁に寄せて縫い付けてあることを特徴とする保護具。
【請求項２】
請求項１において、前記ソフトデニム生地（５）は外形が小判型に形成されており、前記輪（３）は、前記小判型の長手方向の縁に寄せてあることを特徴とする保護具。
【請求項３】
請求項１、又は２において、中綿（６）を入れ、片方の面に指を差し入れる輪（３）を縫い付けてある袋状のソフトデニム生地（５）に、ミシンステッチ（８）を入れたことを特徴とする保護具。
【考案の詳細な説明】
【技術分野】
【０００１】本考案は、重い手荷物を運ぶ時、中綿を入れた布製のものを装着し、手や腕の痛みを軽減する物である。
【背景技術】
【０００２】従来、レジ袋の提げ紐等は、手保護体に通すようにしていた。（特許文献１参照）
【先行技術文献】
【特許文献】
【０００３】
【特許文献１】  特許公開  ２００５−２８９４１９
【考案の概要】
【考案が解決しようとする課題】
【０００４】特許文献１の手保護体には、次のような欠点があった。
従来の保護具は、レジ袋の提げ紐等を通す手間が掛かった。  又、通す紐の形状にも制限があった。
本考案は、以上のような欠点をなくす為になされたものである。
【課題を解決する為の手段】
【０００５】角を落とし、外形が手の平に収まるサイズの小判型に形成された長手方向１１ｃｍ（Ａ）と幅８ｃｍ（Ｂ）の袋状のソフトデニム生地（５）に、厚さ１ｃｍ程度の中綿（６）を入れる。  生地の片方の面には指を差し入れるため、幅２ｃｍのソフトデニム生地の輪（３）を設ける。  輪（３）を設けるため、長手方向の縁から１．５ｃｍ且つ幅（Ｂ）の中央から、長手方向の反対側の縁に向けて予め２ｃｍの切り込みを入れる。  その切り込みに幅２ｃｍの帯状に縫製したソフトデニム生地の両端を揃えて入れ込み、輪の縫いつけ位置（４）に縫い付ける。  小判型の袋状のソフトデニム生地（５）には、横に３本、縦と斜めに２本、更に小判型の縁に沿ってミシンステッチ（８）を施す。
【考案の効果】
【０００６】嵩張らず、ハンカチ程度の軽さのため、常時バッグやポケットに入れて携帯できる。左右どちらの手でも指１本で簡単に装着し、同時に２つ以上の荷物を手間を掛けずに持つことも可能である。  又、様々な取っ手の形状にも対応できる。  使用していることが目立たないため、持つ人を選ばない。
【図面の簡単な説明】
【０００７】
【図１】本考案の背面図である。
【図２】本考案の断面図である。
【図３】本考案の前面図である。
【図４】本考案の使用状態（手の甲側）を示す図である。
【図５】本考案の使用状態（手の平側）を示す図である。
【図６】本考案の使用状態（腕に置いた時）を示す図である。
【図７】本考案の使用状態（荷物を二つ同時に持った時）を示す図である。
【考案を実施する為の形態】
【０００８】  以下、本考案の実施の形態を図面を用いて説明する。
本体は、角を落とし、外形が手の平に収まるサイズの小判型に形成され、長手方向が１１ｃｍ（Ａ）と幅８ｃｍ（Ｂ）の袋状のソフトデニム生地（５）に、クッション性を持たせる為、厚さ１ｃｍ程の中綿（６）を入れる。  生地の片方の面には指を１本、手袋をしても差し入れることが出来る位のゆとりのある大きさで、幅２ｃｍのソフトデニム生地の輪（３）を設ける。  輪（３）を設けるため、長手方向の縁から１．５ｃｍ且つ幅（Ｂ）の中央から長手方向の反対側の縁の方向に２ｃｍの切り込みを入れる。その切り込みに幅２ｃｍの帯状に縫製したソフトデニム生地の両端を揃えて入れ込み輪の縫いつけ位置（４）に縫い付ける。  小判型の袋状のソフトデニム生地（１）には、横に３本、縦と斜めに２本、更に小判型の縁に沿ってミシンステッチ（８）を施す。
本考案は、以上のような構造である。
本考案を使用する時は、嵩張らず、ハンカチ程度の軽さの為、常時バッグやポケットに入れて、携帯できる。  左右どちらの手でも指１本で簡単に装着し、同時に２つ以上の荷物を手間を掛けずに持つことも可能である。又、手の平に収まりやすい大きさで、曲げやすく、扱いやすい。  更に綿素材のため肌にも優しい。  様々な取っ手の形状に対応でき、使用していることが目立たない為、持つ人を選ばない。
他の使用例を説明する。
荷物を腕に掛ける時は、荷物の取っ手と腕の間に置いて使用する。その際生地の片方に縫い付けた輪（３）を手首側になるように置くと、荷物のスベリ止めになる。
【符号の説明】
【０００９】１  本体背面
２  断面
３  指を差し入れ、装着する為の輪
４  輪の縫い
５  本体表面（ソフトデニム生地）
６  中綿
７  本体前面
８  ミシンステッチ
【図１】
0003179121.tif 000003
【図２】
0003179121.tif 000004
【図３】
0003179121.tif 000005
【図４】
0003179121.tif 000006
【図５】
0003179121.tif 000007
【図６】
0003179121.tif 000008
【図７】
0003179121.tif 000009